(57)【要約】      （修正有）【課題】検索が容易である電子機器を提供する。【解決手段】電話番号、メールアドレス、血液型、誕生日等の項目を相手先毎に複数件メモリに格納可能であり、相手先を切り替え表示する際に特定の項目のみ切り替え表示することが可能である。（Ａ）で、相田一郎さんのメールアドレスの項目にカーソルを表示している状態で、相手先を切替え表示する操作があると、次の相手先である青山次郎さんに関する情報を表示する際には、青山次郎さんのメールアドレスのみ表示し、電話番号や血液型等の項目は表示しない。【選択図】図５
2010257064.tif 000002
【特許請求の範囲】
【請求項１】
異なる複数の項目からなる１案件を複数案件分格納可能なメモリと、当該メモリに格納されている情報を表示可能な表示部と、操作部と、を有し、
前記表示部に１案件分の複数の項目を表示している状態で、前記操作部から表示する案件を切替える操作があると、次に表示する案件では特定の項目のみ表示し、他の項目は表示しないことを特徴とする電子機器。
【請求項２】
異なる複数の項目からなる１案件を複数案件分格納可能なメモリと、当該メモリに格納されている情報及びカーソルを表示可能な表示部と、操作部と、を有し、
前記表示部に１案件分の複数の項目を表示している状態で、前記操作部から表示する案件を切替える操作があると、次に表示する案件では前記切替える操作が施される際にカーソルが指示していた項目のみ表示し、他の項目は表示しないことを特徴とする電子機器。
【請求項３】
異なる複数の項目からなる相手先の情報を複数案件分格納可能なメモリと、当該メモリに格納されている情報を表示可能な表示部と、操作部と、を有し、
前記表示部に１件分の複数の項目を表示している状態で、前記操作部から表示する相手先情報を切替える操作があると、次に表示する相手先では特定の項目のみ表示し、他の項目は表示しないことを特徴とする電子機器。
【請求項４】
異なる複数の項目からなる相手先の情報を複数案件分格納可能なメモリと、当該メモリに格納されている情報及びカーソルを表示可能な表示部と、操作部と、を有し、
前記表示部に１件分の複数の項目を表示している状態で、前記操作部から表示する相手先情報を切替える操作があると、次に表示する相手先では前記切替える操作が施される際にカーソルが指示していた項目のみ表示し、他の項目は表示しないことを特徴とする電子機器。
【請求項５】
少なくとも相手先の氏名と電話番号の項目を含む、異なる複数の項目からなる相手先の情報を複数案件分格納可能な電話帳メモリと、当該電話帳メモリに格納されている情報を表示可能な表示部と、操作部と、を有し、
前記表示部に１件分の複数の項目を表示している状態で、前記操作部から表示する相手先情報を切替える操作があると、次に表示する相手先では特定の項目のみ表示し、他の項目は表示しないことを特徴とする電子機器。
【請求項６】
少なくとも相手先の氏名と電話番号の項目を含む、異なる複数の項目からなる相手先の情報を複数案件分格納可能な電話帳メモリと、当該電話帳メモリに格納されている情報及びカーソルを表示可能な表示部と、操作部と、を有し、
前記表示部に１件分の複数の項目を表示している状態で、前記操作部から表示する相手先情報を切替える操作があると、次に表示する相手先では前記切替える操作が施される際にカーソルが指示していた項目のみ表示し、他の項目は表示しないことを特徴とする電子機器。
【発明の詳細な説明】
【技術分野】
【０００１】
本発明は、一度に複数の項目を表示可能な電子機器に関する。
【背景技術】
【０００２】
パーソナルコンピュータや携帯電話、カーナビゲーションシステム等の電子機器では、一般的に複数の項目を表示し、ユーザの操作に応じて表示した項目から所望の項目を選択して情報を表示したり特定の動作を実行する機能が搭載されている。
【０００３】
例えば携帯電話装置では、相手先の氏名と電話番号、メールアドレス等を１件ずつメモリに格納し、ユーザの操作に応じて相手先情報を１件１件切替え表示する技術が搭載されている。また、相手先の電話番号等を検索する技術も数多く提案されており、例えば特許文献１には、電話番号の先頭数桁を入力し、該当する電話番号がメモリに記憶されていれば、該当する電話番号と名前を表示する技術が記載されている。  
【先行技術文献】
【特許文献】
【０００４】
【特許文献１】特開２００１−３５２４１２号公報
【発明の概要】
【発明が解決しようとする課題】
【０００５】
しかしながら、電話番号のみ或いはメールアドレスのみを検索したい場合に、従来のように１件１件相手先を切り替え表示していては、検索に時間がかかるだけでなく、１件の相手先に対応する項目が複数（例えば、電話番号、メールアドレスだけでなく、血液型、生年月日等）ある場合には、一度に表示された複数の項目からユーザの所望の項目（例えばメールアドレス）を探すのが面倒であり、また、見づらい。
【０００６】
一方、特許文献１には、電話番号の先頭数桁をユーザが憶えている必要があり、ユーザにとって使い勝手が悪い。
【課題を解決するための手段】
【０００７】
本発明はこのような課題を解決するためのものであり、ユーザが容易に所望の項目を検
索可能な電子機器を提供することを目的としている。
請求項１に記載の発明は、異なる複数の項目からなる１案件を複数案件分格納可能なメモリと、当該メモリに格納されている情報を表示可能な表示部と、操作部と、を有し、前記表示部に１案件分の複数の項目を表示している状態で、前記操作部から表示する案件を切替える操作があると、次に表示する案件では特定の項目のみ表示し、他の項目は表示しないことを特徴とする。
請求項２に記載の発明は、異なる複数の項目からなる１案件を複数案件分格納可能なメモリと、当該メモリに格納されている情報及びカーソルを表示可能な表示部と、操作部と、を有し、前記表示部に１案件分の複数の項目を表示している状態で、前記操作部から表示する案件を切替える操作があると、次に表示する案件では前記切替える操作が施される際にカーソルが指示していた項目のみ表示し、他の項目は表示しないことを特徴とする。
請求項３に記載の発明は、異なる複数の項目からなる相手先の情報を複数案件分格納可能なメモリと、当該メモリに格納されている情報を表示可能な表示部と、操作部と、を有し、前記表示部に１件分の複数の項目を表示している状態で、前記操作部から表示する相手先情報を切替える操作があると、次に表示する相手先では特定の項目のみ表示し、他の項目は表示しないことを特徴とする。
請求項４に記載の発明は、異なる複数の項目からなる相手先の情報を複数案件分格納可能なメモリと、当該メモリに格納されている情報及びカーソルを表示可能な表示部と、操作部と、を有し、前記表示部に１件分の複数の項目を表示している状態で、前記操作部から表示する相手先情報を切替える操作があると、次に表示する相手先では前記切替える操作が施される際にカーソルが指示していた項目のみ表示し、他の項目は表示しないことを特徴とする。
請求項５に記載の発明は、少なくとも相手先の氏名と電話番号の項目を含む、異なる複数の項目からなる相手先の情報を複数案件分格納可能な電話帳メモリと、当該電話帳メモリに格納されている情報を表示可能な表示部と、操作部と、を有し、前記表示部に１件分の複数の項目を表示している状態で、前記操作部から表示する相手先情報を切替える操作があると、次に表示する相手先では特定の項目のみ表示し、他の項目は表示しないことを特徴とする。
請求項６に記載の発明は、少なくとも相手先の氏名と電話番号の項目を含む、異なる複数の項目からなる相手先の情報を複数案件分格納可能な電話帳メモリと、当該電話帳メモリに格納されている情報及びカーソルを表示可能な表示部と、操作部と、を有し、前記表示部に１件分の複数の項目を表示している状態で、前記操作部から表示する相手先情報を切替える操作があると、次に表示する相手先では前記切替える操作が施される際にカーソルが指示していた項目のみ表示し、他の項目は表示しないことを特徴とする。
【発明の効果】
【０００８】
本発明では、１案件について複数の項目を格納可能であり、更にこの１案件を複数案件格納可能な電子機器において、１案件を表示している状態で他の案件を表示切替する際に、特定の項目のみ表示する構成としたため、ユーザが所望の項目を容易に検索可能としている。
請求項１に記載の発明によると、案件を切り替え表示する際に次の案件では特定の項目のみ表示するため、ユーザが所望の項目を容易に検索可能としている。
請求項２に記載の発明によると、案件を切り替え表示する際に次の案件ではカーソルが指示していた項目のみ表示するため、ユーザが所望の項目を容易に検索可能としている。
請求項３及び５に記載の発明によると、相手先情報を切り替え表示する際に次の案件では特定の項目のみ表示するため、ユーザが所望の項目を容易に検索可能としている。
請求項４及び６に記載の発明によると、相手先情報を切り替え表示する際に次の案件ではカーソルが指示していた項目のみ表示するため、ユーザが所望の項目を容易に検索可能としている。
【図面の簡単な説明】
【０００９】
【図１】本発明を適用してなる一実施例装置の斜視図である。
【図２】本実施例装置のブロック図である。
【図３】電話帳メモリの一例である。
【図４】ディスプレイ６０の表示形態の一例である。
【図５】ディスプレイ６０の表示形態の一例である。
【発明を実施するための形態】
【００１０】
次に、本発明の一実施形態に係る電子機器について、図面を参照して説明する。なお、本実施例では、携帯電話について実施しているが、複数の項目からユーザの所望の項目を選択する機能を有する電子機器であれば、これに限定されず、例えば、カーナビゲーションシステム、コードレス電話機、パーソナルコンピュータ等でも同様に実施可能である。
【実施例】
【００１１】
本発明を適用してなる実施例装置について以下に説明する。尚、本実施例では携帯電話装置を一例にとり、その動作を説明する。
【００１２】
図１は、本実施例装置の斜視図である。図１において、携帯電話装置１は、ディスプレイ６０と、テンキー５１と、マイク１１、十字キー５６、決定キー５７とを有している。
【００１３】
図２は、本実施例装置のブロック図を示している。図２に示すように、携帯電話装置１は、アンテナ２と接続された通信部３を備えている。この通信部３は、後述のベースバンド部４からの信号をアンテナ２を介して基地局へ発信し、あるいはアンテナ２を介して基地局からの電波を受信する。
【００１４】
また、通信部３は、ベースバンド部４と接続されている。ベースバンド部４は、ＣＤＭＡ処理回路５と、音声コーデック６と、を有している。ここで、ＣＤＭＡ処理回路５は、符号分割多元接続、スクランブル、誤り制御、タイミング検出を行う。また、音声コーデック６は、音声を圧縮（符号化）、伸張（復号化）したり、アナログとデジタルの変換を行ったり、内部の増幅回路（図示省略）により受話音量やマイクロホンの感度を変更する。尚、この通信部３やＣＤＭＡ処理回路５は電子メールの送受信機能も備えている。
【００１５】
また、ベースバンド部４には、切替回路７が接続されている。この切替回路７には、増幅回路８を介して第１スピーカ９が接続されている。この第１スピーカ９は、増幅回路８で増幅されたベースバンド部４の電気信号を音声に変換する。この第１スピーカ９は、ユーザの耳にあてて通話に使用される。
【００１６】
また、切替回路７には、増幅回路１０を介してマイクロホン１１が接続されている。このマイクロホン１１は、通話に使用され、音声を電気信号に変換する。マイクロホン１１により出力された電気信号は、増幅回路１０で増幅されてベースバンド部４に出力される。
【００１７】
また、切替回路７には、増幅回路１２を介して第２スピーカ１３が接続されている。この第２スピーカ１３は、増幅回路１２で増幅されたベースバンド部４の電気信号を音声に変換する。この第２スピーカ１３は、受話音を周囲の人にも聞かせるための拡声用のスピーカである。また、第２スピーカ１３は、着信報知の鳴動や警告音の鳴動も行う。
切替回路７は、ベースバンド部４との接続を、第１スピーカ９用の増幅回路８とマイクロホン１１用の増幅回路１０側にするか、あるいは第２スピーカ１３用の増幅回路１２とマイクロホン１１用の増幅回路１０側にするかを切り替える。
【００１８】
また、通信部３、ベースバンド部４、切替回路７には、制御回路（制御部）１４がそれぞれ接続されている。この制御回路１００の制御により上述した切替回路７による切り替えが行われる。また、制御回路１００によりベースバンド部４の音声コーデック６が制御され、音声コーデック６により第１スピーカ９及び第２スピーカ１３の音量やマイクロホン１１の感度が変更される。制御回路１００は、ＲＯＭ１５と接続されており、ＲＯＭ１５に格納されているシステムプログラムに基づき各部を制御する。
ＲＡＭ１６は、１件の相手先（案件等）に対して電話番号、氏名、メールアドレス等の複数の項目を対応付けて格納可能であり、更にこの相手先（相手先情報）を複数件格納可能な電話帳メモリとしての機能を有している。図３は、この電話帳データの格納形態を示した図である。図３に示すように、相手先情報１件毎に、相手先の氏名、電話番号、メールアドレス、血液型、誕生日のデータが格納されている。この相手先のデータは５０音順に１件ずつ格納されている。例えば、本実施例装置では、相田一郎さん、青山次郎さん、阿久津春子さんの３名のデータが格納されている。
【００１９】
制御回路１００には、入力部５０が接続されている。この入力部５０は、電話番号等の入力を行うテンキー５１と、通話の開始を操作する通話キー５２と、通話の終了を操作する切キー５３と、各種機能の設定を行う機能キー５４と、電源キー５５と、カーソルを移動させるための十字キー５６と、項目を決定するための決定キー５７と、を有している。また、制御回路１００には、ディスプレイ６０のバックライトである照明部６１が接続されている。
【００２０】
次に本実施例装置の動作について説明する。図４及び図５は本実施例装置の表示形態を示す図である。ユーザが入力部５０からＲＡＭ１６に格納されている電話帳データを表示する指示があると、図４に示すように、電話帳データの一覧が表示される。尚、本実施例では、相田一郎さん、青山次郎さん、阿久津春子さんの３名の相手先のデータのみ格納されているが、これに限らず、最大５００件まで５０音順に相手先のデータを格納可能である。
【００２１】
図４に示す状態で、ユーザが入力部５０の十字キー５６を操作することにより、カーソル２００を移動することができる。図４ではカーソル２００は相田一郎さんを指示しており、この状態で十字キー５６の上方向を１回押下することにより、カーソル２００を「あかさたな」と表示されている領域に移動させ、続いて十字キー５６の左右キーを押下することにより、カーソル２００を「あ行」、「か行」、「さ行」と各行に移動させ、行を選択することが可能である。一方、カーソル２００が相田一郎さんを指示している状態で十字キー５６の下方向を１回押下する毎に、カーソル２００を青山次郎さん、阿久津春子さん、５０音（最上部の「あかさたな」と表示されている領域）へとサイクリックに移動可能である。又、カーソル２００が相田一郎さんを指示している状態で十字キー５６の左右方向キーを押下することにより、５０音の行を選択することも可能である。尚、制御回路１００を主体にして説明すると、制御回路１００が入力部５０の十字キー５６の押下操作があることを判定すると、カーソル２００を移動表示するようにディスプレイ６０を制御する。
【００２２】
図４のカーソル２００が相田一郎さんを指示している状態で、ユーザが決定キー５７を操作することにより、相田一郎さんに関する複数の項目を一覧で表示可能である。その表示形態を示しているのが図５の（Ａ）であり、相田一郎さんの電話番号（０９０××××××××）、メールアドレス（aida○×@san××．○○．jp）、血液型（Ａ型）、誕生日（１月１日）等の項目を一覧で表示することが可能である。尚、制御回路１００を主体にして説明すると、制御回路１００が入力部５０の決定キー５７の押下操作があることを判定すると、決定キー５７の押下操作がある際にカーソル２００が指示している相手先の情報をＲＡＭ１６から読込、ディスプレイ６０を制御する。その結果、選択された相手先に関する詳細な情報がディスプレイ６０に表示される。
【００２３】
図５の（Ａ）に示しているように、カーソル２００が相田一郎さんのメールアドレスを指示している状態で、ユーザが十字キー５６の右方向を１回押下すると、図５の（Ｂ）に示すように、相田一郎さんの次に電話帳データとして格納されている青山次郎さんに関する項目が表示される。しかしながら、本実施例では、青山次郎さんに関するメールアドレスの項目と氏名のみ表示され、電話番号、血液型、誕生日の項目は表示されない。尚、制御回路１００を主体にして説明すると、制御回路１００が入力部５０の十字キー５６の右操作があることを判定すると、次の相手先の氏名とメールアドレスをＲＡＭ１６から読込、ディスプレイ６０に表示する。
【００２４】
このように、図５の（Ａ）の状態で、カーソル２００を移動して相手先を切り替え表示する際には、図５の（Ｂ）に示すように、カーソル２００が指示していた項目（例えばメールアドレス）と氏名のみ表示し、電話番号等の他の項目は表示しないようにしている。このような構成とすることにより、ユーザが検索したい項目のみを見ることが可能であり、ユーザのとって見やすく検索しやすいという顕著な効果を奏するものである。
【００２５】
尚、図５の（Ｂ）に示す状態でユーザが更に十字キー５６の右方向のキーを１回押下すると、図５の（Ｃ）に示すように次の相手先のメールアドレスを切り替え表示する。図５（Ｃ）の状態も図５（Ｂ）の状態と同じようにメールアドレスと氏名のみ表示され、電話番号や血液型、誕生日等は表示されない。
又、以上説明した実施例と同様に、図５の（Ａ）から（Ｂ）に切替え表示する際に、カーソル２００が電話番号を指示していれば、図５の（Ｂ）では電話番号と氏名のみを、カーソル２００が血液型を指示していれば、図５の（Ｂ）では血液型のみを表示する。
【００２６】
尚、以下のように実施することも可能である。
（１）図５の（Ａ）から（Ｂ）に切替え表示する際に、図５の（Ａ）の状態でカーソルを指示していた情報のみ図５の（Ｂ）で表示する構成にしても良い。即ち、メールアドレスのみを表示し、氏名等は表示しない構成にしても良い。この場合、図５の（Ｂ）から（Ｃ）へと次の相手先を表示する際にも同様にメールアドレスのみ表示する。
（２）本実施例では、図５の（Ａ）の状態で十字キー５６の右方向キーを１回押下するだけで、青山次郎さんのメールアドレスを表示するように制御したが、図５の（Ａ）の状態で、例えば機能キー５４を押下後に十字キー５６の右方向キーを１回押下すると、カーソル２００が指示していた項目のみを図５の（Ｂ）で表示する構成とすると共に、機能キー５４を押下せずに単に十字キー５６の右方向を１回押下するだけでは、図５の（Ｂ）で青山次郎さんの情報を表示する際に、相田一郎さんと同様に、電話番号、メールアドレス、血液型、誕生日等の項目も同時に表示する構成としても良い。
（３）本実施例では、図５の（Ａ）でカーソル２００の指示する項目のみ次に表示する構成としたが、図５の（Ａ）の状態で相手先の表示を切替える際に、予め設定した項目のみ（例えば、電話番号とメールアドレスのみ）表示するようにしても良い。この場合、例えばユーザが待ちうけ状態で電話番号とメールアドレスのみ表示する設定をしておき、設定完了後に、図５の（Ａ）から図５（Ｂ）に変化する際に、予め設定した項目（例えば、電話番号とメールアドレス）のみが表示されるよう切り替え表示される。
【符号の説明】
【００２７】
５０      入力部
５１      テンキー
５６      十字キー
５７      決定キー
６０      ディスプレイ
【図１】
2010257064.tif 000003
【図２】
2010257064.tif 000004
【図３】
2010257064.tif 000005
【図４】
2010257064.tif 000006
【図５】
2010257064.tif 000007